(57)【特許請求の範囲】
【請求項１】
ビル等における電力供給用もしくは通信用の構内配線である構内網を構成する際で、接続点間の接続関係が入力側端子に対し複数の出力側端子が接続された１対ｎの接続（マルチ接続）の接続情報を管理するための接続点管理システムにおいて、
少なくとも端子名と、端子の識別情報である端子ＩＤを含み、管理する配線パネル内の端子とアウトレット（終端子）の端子毎に該端子名と端子ＩＤを対応づけたテーブル構造を持つ接続点テーブルを記憶した第１の記憶手段と、
配線パネル内の端子とアウトレット（終端子）の接続点毎に、前記端子と該接続点に接続されている全てのマルチ接続点を前記接続点テーブルの端子ＩＤを用いて対応づけたテーブル構造を持つ接続情報テーブルを記憶した第２の記憶手段と、
前記接続点テーブルを検索することにより接続経路の始点となる端子名の端子ＩＤを取得する始点取得手段と、
前記取得した接続経路の始点となる端子名の端子ＩＤを用いて、前記接続情報テーブルを検索することにより、前記接続経路の始点となる端子ＩＤに接続される接続端子ＩＤの端子ＩＤを始点の端子ＩＤに関連づけて取得および記憶を行う接続点取得手段と、
当該取得した接続端子ＩＤの端子ＩＤが端点であるか否かの判定に利用される条件に基づいて、前記接続情報テーブルを用いて、検索の結果取得した接続端子ＩＤの端子ＩＤを検索し、端点であるか否かを検出する端点検出手段と、
を備え、
前記接続点取得手段は、前記端点であると検出されるまで、前記取得した接続端子ＩＤの端子ＩＤを始点の端子ＩＤに対応付けられて、前記接続情報テーブルに記録されているマルチ接続点の取得と記憶を繰り返し、前記始点と前記端点と当該始点と端点とを結ぶ各接続点で表される全ての各マルチ接続経路示す接続経路テーブルを作成し、１対ｎの接続（マルチ接続）を検出する
ことを特徴とする接続点管理システム。
【請求項２】
前記接続点テーブルは、
少なくとも前記端子名と、端子名の識別情報である端子名ＩＤを含み、管理する接続点毎に該端子名と端子名ＩＤを対応づけた端子名テーブルと、
少なくとも前記端子名テーブルで用いられる端子名ＩＤと、前記端子の識別情報である端子ＩＤを含み、管理する接続点毎に該端子名ＩＤと端子ＩＤとを対応づけた端子データテーブルと、からなることを特徴とする請求項１に記載の接続点管理システム。
【請求項３】
少なくとも端子名と、端子の識別情報である端子ＩＤを含み、管理する配線パネル内の端子とアウトレット（終端子）の端子毎に該端子名と端子ＩＤを対応づけたテーブル構造を持つ接続点テーブルを記憶した第１の記憶手段と、
配線パネル内の端子とアウトレット（終端子）の接続点毎に、前記端子と該接続点に接続されている全てのマルチ接続点を前記接続点テーブルの端子ＩＤを用いて対応づけたテーブル構造を持つ接続情報テーブルを記憶した第２の記憶手段と、
を備えたコンピュータに、ビル等における電力供給用もしくは通信用の構内配線である構内網を構成する際で、接続点間の接続関係が入力側端子に対し複数の出力側端子が接続された１対ｎの接続（マルチ接続）の接続情報の管理を実行させる接続点管理プログラムを記録した記録媒体であって、
前記接続点テーブルを検索することにより接続経路の始点となる端子名の端子ＩＤを取得する始点取得処理と、
前記取得した接続経路の始点となる端子名の端子ＩＤを用いて、前記接続情報テーブルを検索することにより、前記接続経路の始点となる端子ＩＤに接続される接続端子ＩＤの端子ＩＤを始点の端子ＩＤに関連づけて取得および記憶を行う接続点取得処理と、
当該取得した接続端子ＩＤの端子ＩＤが端点であるか否かの判定に利用される条件に基づいて、前記接続情報テーブルを用いて、検索の結果取得した接続端子ＩＤの端子ＩＤを検索し、端点であるか否かを検出する端点検出処理と、
前記端点であると検出されるまで、前記取得した接続端子ＩＤの端子ＩＤを始点の端子ＩＤに対応付けられて、前記接続情報テーブルに記録されているマルチ接続点の取得と記憶を繰り返し、前記始点と前記端点と当該始点と端点とを結ぶ各接続点で表される全ての各マルチ接続経路示す接続経路テーブルを作成する
ことを実行させる接続点管理プログラムを記録した記録媒体。
【発明の詳細な説明】
【０００１】
【発明の属する技術分野】
本発明は、ビル等における電力供給用もしくは通信用の構内配線である構内網を構成する際の接続点を管理する接続点管理システムおよび接続点管理プログラムを記録したコンピュータ読み取り可能な記録媒体に関するものである。
【０００２】
【従来の技術】
ビル等における電力供給用や通信用の構内配線である構内網を構成するにあたり、配線パネルであるＤＦ（Distribution Frame）を用いて、配線ケーブル間の配線やこれらと端末側の接続部であるアウトレットとの接続変更を行っている。ここでＤＦ内には入力側の端子列と出力側の端子列があり、入力側の端子と出力側の端子を端子間を接続するコードであるパッチコード等を用いて接続することにより構内網が構成される。ここで、構内網がどのようになっているか管理するために接続点管理が必用となる。
従来の接続点管理システムでは、接続点間の接続情報を、図９に示すようにある接続点から、他の接続点への１対１の接続関係を表にすることにより表している。図９の例では接続部Ａには接続点ａ、ｂ、ｃ、・・・があり、接続部Ｂには接続点Ａ、Ｂ、Ｃ、・・・があり、接続部Ａの接続点との接続関係を表したテーブル９１より接続部Ａの接点ａは接続部Ｂの接点Ａとつながり、接続部Ａの接点ｂは接続部Ｂの接点Ｂとつながっていることが分かる。なお、テーブル９１において、左側の記号は接続部内の接続点名を、右側の記号は左側の接続点と接続する接続部Ｂの接続点を表している。同様に接続部Ｂの接続点との接続関係を表したテーブル９２より接続部Ｂの接点Ａは接続部Ａの接点ａとつながり、接続部Ｂの接点Ｂは接続部Ａの接点ｂとつながっていることが分かる。
【０００３】
【発明が解決しようとする課題】
ところで、複数の端末を１つの中央処理装置で管理したい場合がある。このような場合、構内網を構成するにあたり、ＤＦ内の接続点間の接続関係が１対１ではなく、入力側端子に対し複数の出力側端子が接続された１対ｎの接続、すなわちマルチ接続が必用となる。
例えば図９において、接続部Ａは中央処理装置に近い入力側の接続部であり、接続部Ｂは端末側に近い出力側の接続部であるものとして、接続部Ａの接続点ａと接続部Ｂの接続点Ａ、Ｃとをマルチ接続し、接続部Ａの接続点ｂと接続部Ｂの接続点Ａ、Ｂとマルチ接続しても、接続点どうしの接続関係を１対１でしか表現できない上述のテーブル構造では、このマルチ接続を表現できない。
【０００４】
本発明はこのような事情に鑑みてなされたもので、ビル等における電力供給用もしくは通信用の構内配線である構内網を構成する際で、接続点間の接続関係が入力側端子に対し複数の出力側端子が接続された１対ｎのマルチ接続の接続点管理が可能な接続点管理システムおよび接続点管理プログラムを記録したコンピュータ読み取り可能な記録媒体を提供することを目的とする。
【０００５】
【課題を解決するための手段】
上記目的を達成するために、本発明のうち請求項１に記載の発明は、ビル等における電力供給用もしくは通信用の構内配線である構内網を構成する際で、接続点間の接続関係が入力側端子に対し複数の出力側端子が接続された１対ｎの接続（マルチ接続）の接続情報を管理するための接続点管理システムにおいて、少なくとも端子名と、端子の識別情報である端子ＩＤを含み、管理する配線パネル内の端子とアウトレット（終端子）の端子毎に該端子名と端子ＩＤを対応づけたテーブル構造を持つ接続点テーブルを記憶した第１の記憶手段と、配線パネル内の端子とアウトレット（終端子）の接続点毎に、前記端子と該接続点に接続されている全てのマルチ接続点を前記接続点テーブルの端子ＩＤを用いて対応づけたテーブル構造を持つ接続情報テーブルを記憶した第２の記憶手段と、前記接続点テーブルを検索することにより接続経路の始点となる端子名の端子ＩＤを取得する始点取得手段と、前記取得した接続経路の始点となる端子名の端子ＩＤを用いて、前記接続情報テーブルを検索することにより、前記接続経路の始点となる端子ＩＤに接続される接続端子ＩＤの端子ＩＤを始点の端子ＩＤに関連づけて取得および記憶を行う接続点取得手段と、当該取得した接続端子ＩＤの端子ＩＤが端点であるか否かの判定に利用される条件に基づいて、前記接続情報テーブルを用いて、検索の結果取得した接続端子ＩＤの端子ＩＤを検索し、端点であるか否かを検出する端点検出手段と、を備え、前記接続点取得手段は、前記端点であると検出されるまで、前記取得した接続端子ＩＤの端子ＩＤを始点の端子ＩＤに対応付けられて、前記接続情報テーブルに記録されているマルチ接続点の取得と記憶を繰り返し、前記始点と前記端点と当該始点と端点とを結ぶ各接続点で表される全ての各マルチ接続経路示す接続経路テーブルを作成し、１対ｎの接続（マルチ接続）を検出することを特徴とする接続点管理システムである。
【０００６】
また、請求項２に記載の発明は、請求項１に記載の接続点管理システムにおいて、前記接続点テーブルが、少なくとも前記端子名と、端子名の識別情報である端子名ＩＤを含み、管理する接続点毎に該端子名と端子名ＩＤを対応づけた端子名テーブルと、少なくとも前記端子名テーブルで用いられる端子名ＩＤと、前記端子の識別情報である端子ＩＤを含み、管理する接続点毎に該端子名ＩＤと端子ＩＤとを対応づけた端子データテーブルと、からなることを特徴としている。
【０００７】
また、請求項３に記載の発明は、少なくとも端子名と、端子の識別情報である端子ＩＤを含み、管理する配線パネル内の端子とアウトレット（終端子）の端子毎に該端子名と端子ＩＤを対応づけたテーブル構造を持つ接続点テーブルを記憶した第１の記憶手段と、配線パネル内の端子とアウトレット（終端子）の接続点毎に、前記端子と該接続点に接続されている全てのマルチ接続点を前記接続点テーブルの端子ＩＤを用いて対応づけたテーブル構造を持つ接続情報テーブルを記憶した第２の記憶手段と、を備えたコンピュータに、ビル等における電力供給用もしくは通信用の構内配線である構内網を構成する際で、接続点間の接続関係が入力側端子に対し複数の出力側端子が接続された１対ｎの接続（マルチ接続）の接続情報の管理を実行させる接続点管理プログラムを記録した記録媒体であって、前記接続点テーブルを検索することにより接続経路の始点となる端子名の端子ＩＤを取得する始点取得処理と、前記取得した接続経路の始点となる端子名の端子ＩＤを用いて、前記接続情報テーブルを検索することにより、前記接続経路の始点となる端子ＩＤに接続される接続端子ＩＤの端子ＩＤを始点の端子ＩＤに関連づけて取得および記憶を行う接続点取得処理と、当該取得した接続端子ＩＤの端子ＩＤが端点であるか否かの判定に利用される条件に基づいて、前記接続情報テーブルを用いて、検索の結果取得した接続端子ＩＤの端子ＩＤを検索し、端点であるか否かを検出する端点検出処理と、前記端点であると検出されるまで、前記取得した接続端子ＩＤの端子ＩＤを始点の端子ＩＤに対応付けられて、前記接続情報テーブルに記録されているマルチ接続点の取得と記憶を繰り返し、前記始点と前記端点と当該始点と端点とを結ぶ各接続点で表される全ての各マルチ接続経路示す接続経路テーブルを作成することを実行させる接続点管理プログラムを記録した記録媒体である。
【００１２】
【発明の実施の形態】
以下、本発明の一実施形態による接続点管理システムおよび接続点管理プログラムを記録した記録媒体を図面を参照して説明する。図１は、本発明の接続点管理に関する概念を説明するための図である。図において、接続部Ａ・１１に示す記号ａ、ｂ、ｃ、・・・は接続部Ａ・１１にある接続点を表している。同様に接続部Ｂ・１２に示す記号Ａ、Ｂ、Ｃ、・・・は接続部Ｂ・１２にある接続点を示している。一方接続情報１３、１４は、接続部Ａ・１１のどの接続点が接続部Ｂ・１２のどの接続点に接続されているかを表している。例えば、接続情報１３より、接続部Ａ・１１の接続点ａは、接続部Ｂ・１２の接続点ＡおよびＣとマルチ接続されていることが分かる。同様に、接続情報１４より、接続部Ａ・１１の接続点ｂは、接続部Ｂ・１２の接続点ＡおよびＢとマルチ接続されていることが分かる。
【００１３】
このように、接続点そのものに関する情報と、接続点どうしの接続関係を別に管理することにより、接続点そのものに関する情報を変更することなく、接続関連の変更やマルチ接続を表すことが可能となる。また、２つのテーブルにすることにより、接続点どうしの接続数が増えたとしても、接続点そのものが増えない限り、接続点そのもにに関する情報は肥大化することがない。
上述のように、接続点そのものに関する情報と、接続関係の情報を別々に管理することが本発明の基本概念となっており、これにより容易にマルチ接続に対応できるようにしている。なお、本実施の形態では、接続部Ａ・１１、接続部Ｂ・１２等の接続点に関する情報を接続点テーブルとしてまとめ、接続情報１３、１４等の接続情報を接続情報テーブルとしてまとめて管理している。
【００１４】
図２は、本発明の一実施形態による接続点管理システムのブロック図である。図において、符号１は各部の制御を行う制御装置を、符号２は各種情報を納めた記憶装置を、符号３は検索した接続経路等の表示を行うための表示装置を、符号４はマウスやキーボード等で構成され制御装置１に指示を与えるための入力装置を表している。また、記憶装置２内には、接続点に関する情報を納めた接続点テーブル４０と、各接続点の接続関係を表した接続情報テーブル５０と、接続点の経路検索を行う際に作成される接続経路テーブル６０と、構内網の終端子であるアウトレットに接続される電話やパーソナルコンピュータ、ＦＡＸ等の端末装置に関する情報を納めた端末テーブル７０とが記憶されている。
【００１５】
次に図３に示す構内網における接続経路例を用いて、各テーブルの構成を説明する。ここで、図３において、符号２１、２２は配線パネルでり、配線パネル名を「ＤＦ１」および「ＤＦ２」とする。図において、このＤＦ１・２１は基幹ケーブルに近い側に設置され、ＤＦ２・２２は端末側に近い位置に設置されている場合を示している。また、ＤＦ１・２１およびＤＦ２・２２内にはそれぞれ基幹ケーブルに近い入力側の接続点である端子列３１、端子列３３と、端末側に近い出力側の接続点である端子列３２、端子列３４がある。また各端子列３１、３２、３３、３４には端子Ａ〜Ｅが設けられている。なお、以下では各ＤＦ内において入力側の端子列を「１次の端子列」と呼び、出力側の端子列を「２次の端子列」と呼ぶものとする。同様に各ＤＦ内において入力側の端子を「１次の端子」、出力側の端子を「２次の端子」と呼ぶものとする。そして、ＤＦ１・２１内の１次の端子は、それぞれ１−１−Ａ、１−１−Ｂ、・・・、１−１−Ｅという端子名を有し、２次の端子はそれぞれ１−２−Ａ、１−２−Ｂ、・・・、１−２−Ｅという端子名であるものとする。同様にＤＦ２・２２内の１次の端子は、それぞれ２−１−Ａ、２−１−Ｂ、・・・、２−１−Ｅという端子名を有し、２次の端子はそれぞれ２−２−Ａ、２−２−Ｂ、・・・、２−２−Ｅという端子名を有するものとする。図よりＤＦ１・２１の２次の端子列３２とＤＦ２・２２の１次の端子列３３は端子間ですべて接続されており、ＤＦ１・２１内の１次の端子と２次の端子との間、あるいはＤＦ２・２２内の１次の端子と２次の端子との間を、パッチコード等を用いて接続することにより構内網が構成される。また、符号２３、２４は端末側の接続部であるアウトレットでありその端子名を「ＯＵＴ１」、「ＯＵＴ２」とする。符号２５はＯＵＴ１・２３に接続された端末でありその端末名を「ＴＥ１」とする。
【００１６】
図４は、図３に示す接続経路例における接続点テーブルの例を示す図である。接続点テーブル４０は配線パネル内の端子とアウトレット（終端子）の端子毎に端子名と端子ＩＤが対応づけて設定されており、さらに各端子の設定位置などの所定の情報が含まれている。例えば図３に示すＤＦ１・２１内の１次の端子Ａについて説明すると、接続点テーブル４０内の符号４１に示す項目より端子名が「１−１−Ａ」、符号４２に示す項目より端子ＩＤが「１１ａ」、符号４３に示す項目より設置位置が「ＤＦ１」内であるあることが分かる。ここで、接続点テーブル４０において端子名のほかに端子ＩＤを用いている。これは、端子名が構内網の管理者が理解しやすいように命名されているのに対し、端子ＩＤはマイクロコンピュータ等で構成される制御装置１が処理しやすいように命名されているからである。図４においては、端子ＩＤも説明しやすいように命名されているが、一般にはシリアルナンバー等で端子ＩＤが表わされる。
【００１７】
図５は、図３の接続経路例における接続情報テーブルの構成例を示す図である。接続情報テーブル５０は、ＤＦ内の端子とアウトレット（終端子）の各端子毎に、その端子と接続先の端子を、接続点テーブルで用いた端子ＩＤを用いて対応付けた構造となっている。ここで、マルチ接続の場合には、マルチ接続された端子の端子ＩＤが接続端子ＩＤとして複数設定されている。なお、端子がアウトレットの場合には、アウトレットに接続されいる端末の端末ＩＤが接続端子ＩＤに設定される。図５の接続情報テーブル５０において、例えば、符号５１に示す欄より、端子ＩＤ「１１ａ」には、２つの端子が接続され、それぞの接続端子ＩＤは「１２ａ」、「１２ｃ」であり、マルチ接続されていることがわかる。また、符号５６に示す欄より、端子ＩＤ「Ｏ１」には端末が接続されその端末の端末ＩＤは「ＴＸ１」であることが分かる。
【００１８】
図６は、図２の制御装置１内の検索部による接続点テーブル４０と接続情報テーブル５０を用いた接続経路検索のフローを示す図である。以下ではこの図を用いて、２つのテーブルを用いた接続経路検索の手順を説明する。
まず図２の入力装置４を用いて、始点となる端末名を入力することにより図６に示す経路検索のフローがスタートする。
はじめに接続点テーブル４０を用いて始点となる「端子名」の「端子ＩＤ」を取得し、この取得した端子ＩＤを記憶装置２内の接続経路テーブル６０に記憶する（ステップｓ１）。
次に接続情報テーブル５０を用いて、ステップｓ１で取得した始点の「端子ＩＤ」を検索する（ステップｓ２）。
始点の端子ＩＤが接続情報テーブル５０にある場合には、この始点となる端子ＩＤに接続される「接続端子ＩＤ」の端子ＩＤを始点の「端子ＩＤ」に関連づけて接続経路テーブル６０に記憶し、なければ接続経路がないことになるので処理を終了する（ステップｓ３）。
接続情報テーブル５０を用いて、検索の結果取得した「接続端子ＩＤ」の端子ＩＤを検索する（ステップｓ４）。
接続情報テーブル５０の検索結果が接続経路の端点であるか判断を行う（ステップｓ５）。ここで「接続経路の端点」とは、
ａ）検索結果の「接続端子ＩＤ」が「端末ＩＤ」である
ｂ）検索結果の「接続端子ＩＤ」が接続経路の末端となる端子ＩＤである
ｃ）検索対象の端子ＩＤが接続経路にない
のいずれかの場合に当てはまる場合をいう。なお条件ｃ）は、端子と接続関係にある端子がないために接続情報テーブルに、その端子ＩＤが存在しない場合を意味する。また、接続端子ＩＤが端子ＩＤでるか、端末ＩＤでるかは、そのＩＤにより判別可能になっているものとする。
なお、検索した端子ＩＤの次の接続先である「接続端子ＩＤ」が存在する場合には、この取得した「接続端子ＩＤ」の端子ＩＤを始点の「端子ＩＤ」に関連づけて記憶している接続経路テーブル６０に追加して記憶する。
判断の結果、接続経路の端点である場合には、ステップｓ６に進み、そうでない場合には、さらに接続経路の検索を進めるためにステップｓ４に進む。
次にすべての経路の検索が終了したか判断を行う（ステップｓ６）。この判断は、すべての経路の最終端が接続経路の端点となっているかにより判断を行う。この判断の結果、すべての検索が終了している場合には、ステップｓ７に進み、そうでない場合には、次の経路の検索を行うためにステップｓ４に進む。
最後に作成した接続経路テーブル６０の端子ＩＤを、必用に応じて接続点テーブル４０を用いて端子名に変換し、表示装置３等に出力し（ステップｓ７）、処理を終了する。
【００１９】
次に、図４の接続点テーブル４０および図５の接続情報テーブル５０を用いた上記の接続経路検索の具体例を示す。ここでは、接続経路検索の始点端子として、ＤＦ１・２１内の１次の端子列３１における端子Ａの端子名「１−１−Ａ」を入力した場合の接続経路検索の例を説明する。
接続点テーブル４０を検索することにより、符号４１に示す端子名「１−１−Ａ」に対応する端子ＩＤ「１１ａ」・４２を取得し、この端子ＩＤ「１１ａ」を接続経路テーブル６０に記憶する（ステップｓ１）。
接続情報テーブル５０を用いて、始点の端子ＩＤ「１１ａ」を検索する（ステップｓ２）。
端子ＩＤ「１１ａ」は接続情報テーブル５０に設定されているので、検索した端子ＩＤ「１１ａ」の欄５１より接続端子ＩＤ１「１２ａ」および接続端子ＩＤ２「１２ｃ」を取得するとともに、この取得した接続端子ＩＤは、端子ＩＤ「１１ａ」に関連づけて接続経路テーブル６０に記憶し、ステップｓ４に進む（ステップｓ３）。
接続情報テーブル５０を用いて、接続端子ＩＤ１の端子ＩＤ「１２ａ」を検索する（ステップｓ４）。
欄５２よりこの検索した端子に対する接続端子ＩＤ１「２１ａ」を取得する。この取得した接続端子ＩＤは、端子ＩＤ列「１１ａ」−「１２ａ」に関連づけて接続経路テーブル６０に記憶するとともに、接続経路の端点ではないことからステップｓ４に戻る（ステップｓ５）。
次に、端子ＩＤ「２１ａ」を検索する（ステップｓ４）。
欄５３よりこの検索した端子に対する接続端子ＩＤ１「２２ａ」および接続端子ＩＤ２「２２ｂ」を取得する。取得した接続端子ＩＤは、それぞれ端子ＩＤ列「１１ａ」−「１２ａ」−「２１ａ」に関連づけて接続経路テーブル６０に記憶し、ステップｓ４に戻る（ステップｓ５）。
続いて端子ＩＤ「２２ａ」を検索する（ステップｓ４）。
接続情報テーブル５０には端子ＩＤ「２２ａ」に対する設定がないので、接続経路の端点に達したものと判断し（ステップｓ５）、この経路の検索を終了して次の経路の検索を進めるためにステップｓ４に戻る（ステップｓ６）。
【００２０】
検索されていない接続端子ＩＤ２の端子ＩＤ「２２ｂ」を検索する（ステップｓ４）。
欄５４よりこの検索した端子に対する接続端子ＩＤ１「Ｏ１」を取得する。取得した接続端子ＩＤは、端子ＩＤ列「１１ａ」−「１２ａ」−「２１ａ」−「２２ｂ」に関連づけて接続経路テーブル６０に記憶し、ステップｓ４に戻る（ステップｓ５）。
次に端子ＩＤ「Ｏ１」を検索する（ステップｓ４）。
欄５６よりこの検索した端子に対する接続端子ＩＤ１「ＴＸ１」を取得する。取得した接続端子ＩＤは、端子ＩＤ列「１１ａ」−「１２ａ」−「２１ａ」−「２２ｂ」−「Ｏ１」に関連づけて接続経路テーブル６０に記憶する。端子ＩＤ「ＴＸ１」は端末ＩＤであることから、接続経路の端点に達したものと判断し（ステップｓ５）、この接続経路の検索を終了して次の端子ＩＤ「１２ｃ」の経路検索を行うためステップｓ４に戻る（ステップｓ６）。
端子ＩＤ「１２ｃ」についてもステップｓ４からｓ６を繰り返すことによりその接続経路を求めることができる。そして、全ての接続経路が接続経路の端点に達すると図７に示すように接続経路テーブル６０が完成し、ステップｓ７に進む（ステップｓ６）。
接続経路探索処理が終了すると、接続経路テーブル６０より各経路の端子ＩＤ列を取得し、この接続経路を用いた次の処理がある場合にはそのために出力する。また、必用に応じて端子ＩＤ列の各端子ＩＤを接続点テーブル４０を参照して端子名に変換して、端子名の列として出力してもよい。なお、端末ＩＤについては、図８に示すような端末テーブル７０を検索することにより、端末ＩＤを端末名に変換する（ステップｓ７）。
以上のようにして、接続点テーブル４０および接続情報テーブル５０を用いた接続経路の検索が行われる。
【００２１】
なお、上記実施の形態における接続点管理システムとして、接続点テーブル４０は管理する接続点毎に端子名と端子ＩＤを関連づけた構成となっている。これを、接続点テーブルが管理する接続点の端子名と、端子名の識別情報である端子名ＩＤと、端子に関連する属性情報とからなる端子名テーブルと、この端子名テーブルで用いられる端子名ＩＤと、端子の識別情報である端子ＩＤと、端子自身の物理的情報とからなる端子データテーブルとの２つのテーブルより構成されるものとしてもよい。このように各端子名ＩＤのレコードを別テーブルすると、端子ＩＤのレコード数が増えた場合のテーブルサイズの肥大化を抑えることができ、端子名テーブルの属性情報の変更に対する処理が容易となる。なお、この場合における経路検索において、端子名から端子ＩＤへをの対応付けは、２つのステップで行なうことになる。すなわち、端子名テーブルを用いて「端子名」を検索することにより端子名ＩＤが得られ、端子データテーブルを用いて得た端子名ＩＤを検索することにより端子ＩＤが得られる。端子ＩＤが得られれば接続情報テーブルを用いた接続経路の検索を上述と同様に進めることができる。
【００２２】
また、上記の接続点テーブル４０や接続情報テーブル５０に示す構造をもつデータを接続点管理データとしてコンピュータ読み取り可能な記録媒体に記録して、接続点管理を行ってもよい。
【００２３】
【発明の効果】
以上説明したように、本発明による接続点管理システムおよび接続点管理プログラムを記録した記録媒体によれば、下記の効果を得ることができる。
請求項１に記載の発明によれば、管理する接続点に関する情報を記録した接続点テーブルを記憶した第１の記憶手段と、接続点毎に、該接続点に接続されている全ての接続点を対応づけた接続情報テーブルを記憶した第２の記憶手段とを備えている。これにより、１対ｎのマルチ接続の接続点管理が可能となるとともに、接続情報が増えても接続点そのものの情報を管理する接続点テーブルが肥大化することはない。
【００２４】
また、請求項２に記載の発明によれば、接続点テーブルが、少なくとも端子名と、端子の識別情報である端子ＩＤを含み、管理する接続点毎にこの端子名と端子ＩＤを対応づけたテーブル構造を持ち、接続情報テーブルが、接続点毎に、この接続点に接続されている全ての接続点を接続点テーブルの端子ＩＤを用いて対応づけたテーブル構造を持っている。これにより、構内網の管理者が理解しやすい端子名と、マイクロコンピュータ等で構成される接続点管理システムの制御装置が処理しやすい端子ＩＤを関連づけることができるとともに、制御装置による接続点管理を容易に行えるようになる。
【００２５】
また、請求項３に記載の発明によれば、接続点テーブルは、端子名テーブルと、端子データテーブルとから構成されている。このように接続点テーブルを２つのテーブルで構成することにより、端子ＩＤのレコード数が増えた場合のテーブルサイズの肥大化を抑えることができ、端子名テーブルの属性情報の変更に対する処理が容易となる。
【００２６】
また、請求項４に記載の発明によれば、接続点テーブルと接続情報テーブルを用いて、所定の接続点に対する接続経路を検索する検索手段をさらに備えている。これにより、２つのテーブルを用いた接続経路の検索が可能となる。
【００２７】
また、請求項５に記載の発明によれば、検索手段は、接続点テーブルを検索することにより接続経路の始点となる接続点に関する情報を取得する手段と、この取得した接続経路の始点となる接続点に関する情報を用いて、接続情報テーブルを検索することにより、接続経路の始点となる接続点に接続された接続点の取得および記憶を行う手段と、取得した接続点に接続された接続点の取得および記憶を、接続経路の端点に到達するまで繰り返す手段とを備えている。これにより、２つのテーブルを用いた接続経路の端点までの検索が可能となる。
【００２８】
また、請求項６に記載の発明によれば、管理する接続点に関する情報を記録した接続点テーブルと、接続点毎に該接続点に接続されている全ての接続点を対応づけた接続情報テーブルとを検索することにより、所定の接続点に対する接続経路を検索する検索手段を機能させるための接続点管理プログラムを記録した記録媒体である。これにより、接続点テーブルと情報テーブルを用いた接続経路検索を実行する接続点管理プログラムを納めた記録媒体の提供が可能となる。
【００２９】
また、請求項７に記載の発明によれば、検索手段は、接続点テーブルを検索することにより接続経路の始点となる接続点に関する情報を取得する手段と、この取得した接続経路の始点となる接続点に関する情報を用いて、接続情報テーブルを検索することにより、接続経路の始点となる接続点に接続された接続点の取得および記憶を行う手段と、取得した接続点に接続された接続点の取得および記憶を、接続経路の端点に到達するまで繰り返す手段とを備えている。これにより、２つのテーブルを用いた接続経路の端点までの検索が可能となる。
【図面の簡単な説明】
【図１】  本発明の接続点管理に関する概念を説明するための図である。
【図２】  本発明の一実施形態による接続点管理システムのブロック図である。
【図３】  接続経路例を示す図である。
【図４】  図３の接続経路例における接続点テーブの例を示す図である。
【図５】  図３の接続経路例における接続情報テーブの例を示す図である。
【図６】  接続点テーブルおよび接続情報テーブを用いた経路検索のフローチャートである。
【図７】  図３の接続経路例における接続経路テーブの例を示す図である。
【図８】  図３の接続経路例における端末テーブルの例を示す図である。
【図９】  接続情報管理における接続情報管理用テーブルの一従来例の概念を説明するための図である。
【符号の説明】
１  制御装置
２  記憶装置
３  表示装置
４  入力装置
４０  接続点テーブル
５０  接続情報テーブル
６０  接続経路テーブル
７０  端末ケーブル
【図１】
0003798878.tif 000002
【図２】
0003798878.tif 000003
【図３】
0003798878.tif 000004
【図４】
0003798878.tif 000005
【図５】
0003798878.tif 000006
【図６】
0003798878.tif 000007
【図７】
0003798878.tif 000008
【図８】
0003798878.tif 000009
【図９】
0003798878.tif 000010